(57)【要約】不正操作がきかないコンテナは、アクセス開口（７）を有する製品収容可能なコンテナ本体（１）と、アクセス開口を閉じ、そしてアクセス開口をおおっているときコンテナ本体に係合する係合手段（３７，４３）を含むコンテナ本体から分離可能なカバーと、アクセス開口全体にわたって位置されるとき、カバーの取り除きを防止し、少なくとも１つのロッキング要素（１５）を含む不正操作防止手段（１１）と、を備え、１つまたは複数のロッキング要素は、アクセス開口全体にわたってコンテナ本体へのカバーの初期の係合を可能とし、その後の取り除きを防止するように構成され、そして、１つまたは複数のロッキング要素は、コンテナから分離可能であり、１つまたは複数のロッキング要素の分離により、コンテナ本体からのカバーの取り除きを可能とし、１つまたは複数のロッキング要素の取り除きが、さらに、コンテナが開かれたという視覚による兆候を提供する。
2004503446.tif 000002
【特許請求の範囲】
【請求項１】
不正操作がきかないコンテナであって、
製品が収容されることが可能なコンテナ本体であって、アクセス開口を有する前記コンテナ本体と、
前記アクセス開口を閉じ、そして、前記アクセス開口をおおっているとき前記コンテナ本体に係合する係合手段を含むコンテナ本体から分離可能なカバーと、
前記アクセス開口全体にわたって位置されるとき、前記カバーの取り除きを防止する不正操作防止手段であって、少なくとも１つのロッキング要素を含む、前記不正操作防止手段と、
を備え、
前記１つまたは複数のロッキング要素が、前記アクセス開口全体にわたって前記コンテナ本体への前記カバーの初期の係合を可能とし、その後の取り除きを防止するように構成され、そして、
前記１つまたは複数のロッキング要素が、前記コンテナから分離可能であり、前記１つまたは複数のロッキング要素の分離により、前記コンテナ本体からの前記カバーの取り除きを可能とし、前記１つまたは複数のロッキング要素の取り除きが、さらに、前記コンテナが開かれたという視覚による兆候を提供する、不正操作がきかないコンテナ。
【請求項２】
前記アクセス開口が、前記コンテナ本体の１つまたは複数の壁に設けられ、そして、前記カバーの係合手段が、前記アクセス開口全体にわたって位置されるとき前記コンテナ本体への前記カバーの剥離自在な係合を行い、前記カバーが、前記コンテナ本体と係合されるとき、前記１つまたは複数の壁と少なくともほぼ同一平面である請求項１に記載の不正操作がきかないコンテナ。
【請求項３】
前記スライドカバーが、少なくともその周縁の部分に沿って延在する周縁リップを含み、前記周縁リップが、前記アクセス開口に隣接して位置されるコンテナ本体における協働する肩部に係合するように構成される、請求項２に記載の不正操作がきかないコンテナ。
【請求項４】
前記カバーが、前記アクセス開口全体にわたって滑動可能に支持可能なスライドカバーの形状であり、前記コンテナ本体の前記協働する肩部の前記スライドカバーの周縁リップの係合により、前記アクセス開口に対して前記スライドカバーのスライド作動を可能とし、前記スライドカバーのための前記係合手段が、前記スライドカバーの１つの端部に位置される１つ以上のタングを含み、前記１つ以上のタング、あるいは、各タングは、それぞれ、前記コンテナ本体の協働する突出部に係合し、前記１つ以上の突出部、あるいは、各前記突出部が、前記アクセス開口に隣接する前記コンテナ本体の内側表面に設けられている、請求項３に記載の不正操作がきかないコンテナ。
【請求項５】
前記コンテナのスライドカバーの前記係合手段が、さらに、１つ以上の突出部と、前記１つまたは複数のタングへの前記スライドカバーの対向する端部における前記カバーの前記周縁リップの内面に、あるいは、前記アクセス開口に隣接する前記コンテナ本体にそれぞれ設けられる１つ以上の協働する開口とを含み、前記１つまたは複数の突出部は、前記スライドカバーが前記アクセス開口を完全に閉じるとき開口内に収容される、請求項４に記載の不正操作がきかないコンテナ。
【請求項６】
前記不正操作防止手段の前記ロッキング要素が、前記アクセス開口に隣接する前記コンテナ本体から延在するロッキングタブを含み、前記ロッキングタブが、前記アクセス開口の平面に対して少なくともぼぼ垂直に延在し、それによって、前記コンテナ本体からの前記スライドカバーの分離を防止する、請求項５に記載の不正操作がきかないコンテナ。
【請求項７】
前記ロッキングタブが、そのこわれやすい接続部分によって前記コンテナ本体の残りの部分に取り付けられている、請求項６に記載の不正操作がきかないコンテナ。
【請求項８】
前記ロッキングタブが、絶対必要な部分として、前記ロッキングタブのための前記こわれやすい接続部分を与えるために、前記ロッキングタブと前記コンテナ壁の残りの部分との間に比較的薄い壁セクションを有する前記コンテナ本体で形成されている、請求項７に記載の不正操作がきかないコンテナ。
【請求項９】
前記ロッキングタブが、前記アクセス開口に面する前記ロッキングタブの側に位置される接触面を含み、前記接触面が、前記アクセス開口の平面に対して鋭角で傾斜されている、請求項８に記載の不正操作がきかないコンテナ。
【請求項１０】
コンテナを吊り下げる手段が、前記ロッキングタブから延在している、請求項７から１０のいずれか一項に記載の不正操作がきかないコンテナ。
【請求項１１】
前記カバーのための前記係合手段が、少なくとも前記カバーの前記周縁の部分に沿って延在する周縁リブを含み、前記周縁リブが、前記コンテナ本体の協働する溝内に位置されている、請求項３に記載の不正操作がきかないコンテナ。
【請求項１２】
前記カバーの前記係合手段が、さらに、前記カバーの内面から延在する１つ以上のタグを含み、前記１つまたは複数のタグが、前記カバーを前記コンテナ本体に係合する結合配置の部分を形成している、請求項１１に記載の不正操作がきかないコンテナ。
【請求項１３】
前記結合配置が、前記コンテナ本体内に設けられる協働する突出部に係合するための１つまたは複数のタグ内に設けられる開口を含んでいる、請求項１２に記載の不正操作がきかないコンテナ。
【請求項１４】
前記１つまたは複数の突出部が、前記協働するタグから前記１つまたは複数の突出部の解放を可能とするため弾力的に手動によるアクチュエータメカニズムに付勢され、そして、支持され、それによって、前記コンテナ本体からの前記カバーの取り除きを可能とする、請求項１３に記載の不正操作がきかないコンテナ。
【請求項１５】
前記手動によるアクチュエータメカニズムが、付勢されたラッチを含み、それによって、前記ラッチの移動が、結合配置を解離する、請求項１３または１４に記載の不正操作がきかないコンテナ。
【請求項１６】
前記不正操作防止手段の前記ロッキング要素が、前記カバーに設けられ、前記ロッキング要素が、前記ラッチの移動を防止し、それによって、前記コンテナ本体からの前記カバーの解放を防止する、請求項１５に記載の不正操作がきかないコンテナ。
【請求項１７】
前記ロッキング要素が、前記ラッチに近接して位置されるロッキングタブを含み、前記ロッキングタブが、こわれやすい接続によって前記カバーに接続されている、請求項１６に記載の不正操作がきかないコンテナ。
【請求項１８】
前記ロッキングタブが、絶対必要なものとして、前記ロッキングタブにこわれやすい接続部分を与えるために、前記ロッキングタブと前記カバーの残りの部分との間に比較的薄い壁セクションを有するカバーで形成されている、請求項１７に記載の不正操作がきかないコンテナ。
【請求項１９】
前記コンテナ本体が、２つの独立したケーシングシェルから作られ、一連の雌スナップタングが、前記１つのケーシングシェルの周縁エッジに沿って設けられ、そして、一連の協働する雄突出部が、前記別のケーシングシェルの周縁エッジに隣接して設けられ、前記ケーシングシェル間の接続を可能とする、先行請求項のいずれか一項に記載の不正操作がきかないコンテナ。
【請求項２０】
リブが、前記ケーシングシェルの１つの前記周縁エッジに沿って設けられ、そして、協働する肩部、あるいは、チャンネルが、前記もう１つのケーシングシェルの周縁エッジに沿って設けられ、前記２つのケーシングシェルが、結び合わされるとき、前記リブが、前記肩部、あるいは、リブによって収容されることが可能である、請求項１９に記載の不正操作がきかないコンテナ。
【発明の詳細な説明】
【０００１】
【発明の属する技術分野】
本発明は、一般に製品を収納するコンテナ（容器）に関し、特に、不正操作防止特徴を有するコンテナに関する。本発明は、医薬品カプセルまたは錠剤、コンドームまたはタンポン、およびバンドエイドなどの医療用製品、あるいは、衛生製品のパッキングに関して記述されているが、本発明は、この適用に制限されるものではなく、他の使用も考慮されることは明らかである。
【０００２】
【従来の技術】
上述のタイプの製品は、厚紙カートンで一般に販売されている。これらのカートンは、プラスチックラッピングを引き裂くことなく、内容物にアクセスするため、カートンの開放を防止することによって制限された程度の不正操作防止を供給するために、熱ラッププラスチックシートでカバーされることが可能である。ラッピングの引き裂きは、パッキングが開かれたという視覚による兆候を提供する。しかしながら、ラッピングのこのタイプは、製品が注射器針を使用することによって毒薬などの異物が盛られる故意の不正操作を防げない。針によって生成される穴は、注意をそらすように位置されることが可能であるので、製品の不正操作が検知されないままである。
【０００３】
このような故意の不正操作は、熱融合硬質プラスチックケーシングで製品を封入することによって解消されることが可能であるが、製品の総合販売コストがかなり追加されるので、そのようにすることは今まで高くついていた。さらに、このような硬質ケーシングは、製品の最終エンドユーザが開くことがきわめて難しい。
【０００４】
【発明が解決しようとする課題】
ゆえに、本発明の目的は、上記に参照される故意の不正操作のタイプから中に入れられるあらゆる製品を保護する不正操作がきかないコンテナを提供することである。
【０００５】
本発明の別の目的は、コンテナが開かれたという視覚による兆候を提供する不正操作がきかないコンテナを提供することである。
【０００６】
本発明のさらなる目的は、製造するのに比較的経済的であり、さらに、エンドユーザが開くのに比較的容易である不正操作がきかないコンテナを提供することである。
【０００７】
【課題を解決するための手段】
上記過大に鑑みて本発明によれば、不正操作がきかないコンテナが提供される。すなわち、製品が収容されることが可能なコンテナ本体であって、アクセス開口を有する、前記コンテナ本体と、アクセス開口を閉じ、そして、アクセス開口をおおっているときコンテナ本体に係合する係合手段を含むコンテナ本体から分離可能なカバーと、アクセス開口全体にわたって位置されるとき、カバーの取り除きを防止する不正操作防止手段であって、少なくとも１つのロッキング要素を含む、前記不正操作防止手段と、を備え、１つまたは複数のロッキング要素は、アクセス開口全体にわたってコンテナ本体へのカバーの初期の係合を可能とし、その後の取り除きを防止するように構成され、そして、１つまたは複数のロッキング要素は、コンテナから分離可能であり、１つまたは複数のロッキング要素の分離により、コンテナ本体からのカバーの取り除きを可能とし、１つまたは複数のロッキング要素の取り除きが、さらに、コンテナが開かれたという視覚による兆候を提供する。
【０００８】
本発明による不正操作がきかないコンテナは、アクセス開口を通って製品が充填されることが可能であり、カバーが、その後、アクセス開口全体にわたって設置され、そして、不正操作防止手段によってその後の取り除きが防止される。とはいえ、不正操作がきかないコンテナは、コンテナのアセンブリの間に製品が充填されることがさらに考慮されている。
【０００９】
アクセス開口が、コンテナ本体の１つまたは複数の壁に設けられ、そして、カバーの係合手段が、アクセス開口全体にわたって位置されるときコンテナ本体へのカバーの剥離自在な係合を行うことができる。カバーは、コンテナ本体と係合されるとき、１つまたは複数の壁と少なくともほぼ同一平面である。これは、閉じられるときコンテナに比較的平坦なプロフィルを与え、視覚的に心地よい外観をそれに与える。
【００１０】
本発明の第１の好ましい実施の形態によれば、カバーは、滑動可能にアクセス開口全体にわたって支持可能なスライドカバーの形状でよい。スライドカバーは、少なくともその周縁の部分に沿って延在する周縁リップを含んでいる。周縁リップは、アクセス開口に対してスライドカバーの滑動作動を可能とするために、アクセス開口に隣接して位置されるコンテナ本体における協働する肩部、あるいは、チャンネルに係合するように構成されることができる。スライドカバーのための係合手段は、スライドカバーの１つの端部に位置される１つ以上のタングを含み、１つ以上のタング、あるいは、各タングは、それぞれ、コンテナ本体の協働する突出部に係合している。この突出部は、アクセス開口に隣接するコンテナ本体の内側表面に設けられている。スライドカバーの係合手段は、さらに、１つ以上の突出部と、１つまたは複数のタングへのスライドカバーの対向する端部におけるカバーの周縁リップの内面に、あるいは、アクセス開口に隣接するコンテナ本体にそれぞれ設けられる１つ以上の協働する開口とを含み、１つまたは複数の突出部は、スライドカバーがアクセス開口を完全に閉じるとき開口内に収容される。カバーの１つの端部の協働する１つまたは複数のタングおよび１つまたは複数の突出部は、所定の位置にスライドカバーのその端部を保持するように作用し、そして、スライドカバーの別の端部の協働する１つまたは複数の突出部および１つまたは複数の開口は、アクセス開口から離れてその端部の持ち上げを防止するように作用する。スライドカバーの別の係合手段が、さらに考慮されていることは明らかである。協働する肩部に係合する周縁リップを有するカバーの使用は、カバーとコンテナ本体との間の接合点において皮下注射器のための迅速なアクセスがないことを確実にする。
【００１１】
不正操作防止手段のロッキング要素は、アクセス開口に隣接するコンテナ本体から延在するロッキングタブを含むことができる。ロッキングタブは、アクセス開口の平面に対して少なくともぼぼ垂直に延在し、それによって、コンテナ本体からスライドカバーの分離を防止する。ロッキングタブは、そのこわれやすい接続部分によってコンテナ本体の残りの部分に取り付けられることができる。ロッキングタブは、絶対必要な部分として、ロッキングタブのためのこわれやすい接続部分を与えるために、ロッキングタブとコンテナ壁の残りの部分との間に比較的薄い壁セクションを有するコンテナ本体で形成されることができる。ロッキングタブは、アクセス開口に面するロッキングタブの側に位置される接触面を含むことができる。接触面は、アクセス開口の平面に対して鋭角で傾斜されることができる。傾斜面の目的は、後に記述されている。吊り下げ穴を有する吊り下げフック、あるいは、ウェブは、さらに、ロッキングタブから延在することができる。
【００１２】
本発明の第２の好ましい実施の形態によれば、カバーのための係合手段は、少なくともカバーの周縁の部分に沿って延在する周縁リブを含み、周縁リブは、コンテナ本体の協働する溝内に位置されることが可能である。この配置は、カバーとコンテナ本体との間に針を挿入することをさらに一層難しくさせ、同時に、アクセス開口全体にわたって所定の位置にカバーを保持させる。
【００１３】
カバーの係合手段は、さらに、カバーの内面から延在する１つ以上のタグを含み、前記１つまたは複数のタグは、カバーをコンテナ本体に係合する結合配置の部分を形成する。開口は、結合配置の別の部分として、コンテナ本体内に設けられる協働する突出部に係合するための１つまたは複数のタグ内に設けられることができる。１つまたは複数の突出部は、１つまたは複数の協働するタグから１つまたは複数の突出部の解放を可能とするため弾力的に手動によるアクチュエータメカニズムに付勢され、そして、支持されることができ、それによって、コンテナ本体からのカバーの取り除きを可能とする。１つまたは複数の突出部は、手動によるアクチュエータメカニズムの部分に取り付けられることができる。手動によるアクチュエータメカニズムは、付勢されたラッチを含み、それによって、ラッチの移動は、結合配置を解離する。
【００１４】
不正操作防止手段のロッキング要素は、カバーに設けられ、ロッキング要素が、ラッチの移動を防止し、それによって、コンテナ本体からのカバーの解放を防止する。ロッキング要素は、ラッチに近接して位置されるロッキングタブを含み、ロッキングタブは、こわれやすい接続によってカバーに接続されている。ロッキングタブは、絶対必要なものとして、ロッキングタブに壊れやすい接続部分を与えるために、ロッキングタブとカバーの残りの部分との間に比較的薄い壁セクションを有するカバーで形成されることができる。
【００１５】
コンテナ本体は、収容される製品のタイプによりあらゆる形状であってよい。例えば、コンテナ本体は、平面図で見られるとき形状が矩形、あるいは、四角であり、側面から見られるとき比較的狭いプロフィルを有することができる。このようなコンテナ本体は、ブリスターパック錠剤、あるいは、カプセル、あるいはフラットパックコンドーム、などのフラット製品のために適切である。例えば、コンテナは、さらに、平面図で見られるとき、円形形状、あるいは、五角形、あるいは六角形でもよい。
【００１６】
コンテナ本体は、２つ以上のセクションで製造され、そして、その後組み立てられることができる。このために、各セクションは、このアセンブリを容易にするために協働する結合手段を含むことができる。本発明による例示的配置によれば、コンテナ本体は、２つの独立したケーシングシェルから作られることができる。一連の雌スナップタングは、１つのケーシングシェルの周縁エッジに沿って設けられ、そして、一連の協働する雄突出部は、別のケーシングシェルの周縁エッジに隣接して設けられ、ケーシングシェル間の「スナップクリップ」の取り除きできない接続を可能とする。２つのケーシングシェルは、次に、めすタングおよび雄突出部が係合されるように、２つのケーシングシェルを結び合わすことによって組み立てられることが可能である。リブは、ケーシングシェルの１つの周縁エッジに沿って設けられ、そして、協働する肩部、あるいは、チャンネルは、もう１つのケーシングシェルの周縁エッジに沿って設けられることができる。２つのケーシングシェルが、結び合わされるとき、リブは、肩部、あるいは、リブによって収容されることが可能である。これにより、２つのケーシングシェル間の接合線で皮下注射針の迅速なアクセスを防止する。
【００１７】
コンテナ本体およびカバーは、比較的剛性の材料で作られるべきである。これは、そこに印加される圧力によるコンテナ本体の変形によるコンテナ本体および／またはカバーおよびコンテナ本体のセクション間の接合線に形成されるギャップを防止するのを助ける。材料は、さらに、ロッキングタブが、そのこわれやすい接続から、および、こわれやすい接続において、コンテナ本体から分離されることを可能とする。適切な材料は、ＡＢＳプラスチックなどの比較的剛性な材料を含んでいる。
【００１８】
さらに、コンテナ本体セクションが、別の方法として、あらゆる接合線を削除するために、超音波で互いに溶融されるか、あるいは、接着されることが可能であることが考慮されている。とはいえ、これにより、製造時間およびコンテナのコストを減少するコンテナの自動アセンブリを容易にすることが可能であるように、上記に記述されるような結合配置を使用することが一般に好ましい。
【００１９】
本発明による第１の好ましい実施の形態におけるロッキングタブは、下記のように作動する。
【００２０】
スライドカバーは、ロッキングタブが所定の位置にあるとき、最初は、コンテナ本体に嵌め込まれることが可能である。スライドカバーは、最初は、スライドカバーの１つの端部で１つまたは複数のタングによって、アクセス開口全体にわたってコンテナ本体に係合され、スライドカバーは、アクセス開口の平面にある角度をなして配置されている。スライドカバーのもう１つの端部は、最初は、ロッキングタブの傾斜した面に当接している。ロッキングタブのこわれやすい接続部分は、ロッキングタブの偏向を可能とするために十分に弾力的である。スライドカバーは、それゆえ、スライドカバーの係合された端部まわりに旋回移動してアクセス開口の方に変位されることが可能であり、もう１つの端部は、ロッキングタブの傾斜した面と当接する。スライドカバーの旋回変位は、ロッキングタブに力を印加して、結果として偏向を生ずる。スライドカバーが、アクセス開口全体にわたって所定の位置にあるとき、ロッキングタブに隣接するスライドカバーのもう１つの端部は、コンテナ本体に係合する。ロッキングタブは、その初期の位置に戻り、そしてカバーの係合手段を解放して、カバーがコンテナから取り除かれることを可能にするのに必要とされるスライドカバーの滑動動作を妨げる。スライドカバーを開くようにスライドして取り除くあらゆる試みは、コンテナ本体からのロッキングタブの破損を結果として生ずる。
【００２１】
コンテナのエンドユーザは、ロッキングタブを折り取って、コンテナ本体のアクセス開口を開くべく、スライドカバーを開くようにスライドすることによって、中に収納される製品へのアクセスを得ることが可能である。ロッキングタブの欠如は、コンテナが開かれたという明確な兆候を与える。ロックタブとともに取り除かれるロックタブに位置される吊り下げフックを有することは、さらに、この視覚による兆候を与えるのを助ける。スライドカバーは、次に、中の残りの内容物を収納するためにコンテナを閉じる通常の方法で作動することが可能である。
【００２２】
上記に記述される配置において、ロッキング要素は、ピボット破断によって取り除かれ、そこで、ロッキング要素が、こわれやすい接続まわりに旋回される。とはいえ、さらに、コンテナ配置は、ロッキング要素が、ねじり、あるいは、環状破断で、例えば、コンテナの２つのセクションがコンテナを開くために、互いに旋回してスライドすることが可能なとき、破損されるようなものであることが考慮されている。
【００２３】
本発明による第２の実施の形態におけるロッキングタブは、下記のように作動する。
【００２４】
開口は、カバーに設けられることができ、それを通って、手動によるアクチュエータメカニズムが位置されることが可能である。ロッキングタブは、位置され、そして開口の１つの側面を形成することができる。カバーは、アクセス開口全体にわたって所定の位置に位置され、カバーのタグが、手動によるアクチュエータメカニズムの協働する突出部に係合する。カバーは、したがって、アクセス開口全体にわたって所定の位置に位置される。突出部の付勢により、突出部がタグに協働する開口に係合することを可能とする。ロッキングタブの位置選定は、とはいえ、コンテナ本体からのカバーの解放を防止するラッチの移動を防止する。
ロッキングタブは、したがって、ラッチが、コンテナ本体からカバーを解放するために移動されることが可能な前に、カバーの残りの部分から分離される必要がある。ロッキングタブの取り除きは、コンテナのあらゆる不正操作の視覚による兆候を与える。コンテナの開放に続き、カバーが、手動によるアクチュエータメカニズムによってコンテナの所定の位置に保持されることが可能である。
【００２５】
本発明による不正操作がきかないコンテナは、皮下注射器の使用による不正操作を妨害し、そして、コンテナが開かれたという明確な視覚による兆候を与えることなく開かれることができない。しかしながら、コンテナは、開放後貯蔵コンテナとして使用され続けることが可能であり、カバーは、アクセス開口全体にわたってカバーを係合するために係合手段を今までどおり有している。
【００２６】
【発明の実施の形態】
本発明による不正操作がきかないコンテナの好ましい実施の形態を、添付図面を参照して具体的に説明する。本発明の他の好ましい実施の形態が可能であり、そして、その結果、添付の図面の詳細は、本発明の前記説明の一般原則に取って代わるものとして理解されるものではない。
【００２７】
本発明による不正操作がきかない好ましい実施の形態のそれぞれにおける対応する特徴は、明確のため同一の参照符号で表わされている。
【００２８】
最初に、図１乃至図５を参照すると、第１のハーフケーシング３と第２のハーフケーシング５とから形成されるコンテナ本体１を含む本発明による不正操作がきかないコンテナの第１の好ましい実施形態が示されている。第１のハーフケーシング３は、コンテナ本体１のためのアクセス開口７を含んでいる。このアクセス開口７は、カバー９によって閉じられ、そして、不正操作がきかないコンテナは、さらに、ロッキング要素１５を含む不正操作防止手段１１を備えている。製品吊り下げタグ１７は、ロッキング要素１５の一部に固定されている。第１のハーフケーシング３および第２のハーフケーシング５は、図３に示されるようにそれらの間のスナップ接続１９によって互いに保持されている。このスナップ接続１９は、第１のハーフケーシング３の周縁エッジ４に沿って設けられる一連の雌スナップタング２１を備えている。スナップ接続１９は、さらに、第２のハーフケーシング５の周縁エッジ６に沿って設けられる雄突出部２３を含んでいる。第１および第２のハーフケーシング３、５が結び合わされると、突出部２３が、図１２に最もよく示されるように、雌スナップタング２１に設けられる開口２２内に収容されるまで、雌スナップタング２１は、協働する雄突出部２３の傾斜した面２４全体にわたって偏向される。第１のハーフケーシング３の周縁エッジ４は、雌スナップタング２１から離れている周縁エッジ６の部分における各雌スナップタング２１、あるいは、肩部２９に隣接する溝２７を含んでいる。溝２７、あるいは、肩部２９は、図１１および図１２に示されるように、第２のハーフケーシング５の周縁エッジ６に沿って設けられるリブ３１を収容する。第１のハーフケーシング周縁エッジ４と第２のハーフケーシング周縁エッジ６との間のこの協働は、ハーフケーシング間の接合線２を通る皮下注射器のアクセスを防止するのを助ける。
【００２９】
図６は、不正操作がきかないコンテナのスライドカバー９の特徴をより詳細に示している。図６は、スライドカバー９の１つの側を除くすべてに沿って延在する周縁リップ３５を含むスライドカバー９の内側表面を示している。スライドカバーの保持側面は、コンテナ本体１に係合するための係合タング３７を含んでいる。周縁リップ３５は、第１のハーフケーシング３のアクセス開口７まわりに設けられる肩部３６にある。スライドカバー９の保持側面は、さらに、第１のハーフケーシング３のアクセス開口７の１つの端部に設けられる肩部４１にあるフランジ３９を含んでいる。係合タング３７に対向するスライドカバー９のもう１つの端部は、ロッキング要素１５のいずれかの側のアクセス開口７に隣接する第１のハーフケーシング３に設けられる協働する開口４５に係合するための２つの雄突出部４３を含んでいる。
【００３０】
図７および図８は、カバー９がアクセス開口７に近接する第１のハーフケーシング３に係合する方法を示している。協働する突出部４５は、アクセス開口７に隣接する第１のハーフケーシング３の内側表面に設けられている。指押し下げ部４７は、係合タング３７に隣接するカバー９に設けられている。
【００３１】
係合タング３７および協働する突出部４５の協働は、２つの機能を作用する。第一に、それらは、スライドカバー９が最初にアクセス開口７全体にわたってコンテナ本体１に設置されるとき、スライドカバー９がそのまわりを回転することが可能なピボットポイントを供給する。第二に、それらは、アクセス開口７全体にわたってスライドカバー９を保持するように作動する。スライドカバー９は、さらに、カバー９の対向する端部における開口４５と突出部４３との協働によってアクセス開口７全体にわたって保持されている。
【００３２】
図９乃至図１１は、本発明の不正操作防止手段１１をより明確に示している。不正操作防止手段１１のロッキング要素１５は、こわれやすい接続５１によって第２のハーフケーシング５に固定されている。ロッキング要素１５は、さらに、スライドカバー９の周縁リップ３５との近接した関係状態で、あるいは、当接関係状態で位置されるように構成される傾斜した内表面５３を含んでいる。
【００３３】
カバー９は、最初は、所定の位置にロッキング要素１５を有するアクセス開口７全体にわたって設置されている。これは、最初は、スライドカバー９の係合タング３７を協働する突出部４５に固定することによって達成され、スライドカバー９は、アクセス開口７の平面から離れてある角度をなして位置されている。スライドカバー９の周縁リップ３５は、ロッキング要素１５の傾斜した面５３に接して位置を占めている。こわれやすい接続５１は、スライドカバー９の周縁リップ３５がスライドカバー９の最終閉鎖位置の方に下方に傾斜した面５３全体にわたってスライドすることが可能であるように、ロッキング要素１５のわずかな偏向を可能とするために十分な弾性を設けている。スライドカバー９が、その所定の位置にあるとき、雄突出部４３は、第１のハーフケーシング３の協働する開口４５に係合し、そして、ロッキング要素１５は、その最初の位置に戻る。スライドカバー９は、アクセス開口７の平面に平行な滑動動作でそれを移動することによってコンテナ本体１から取り除かれることが可能であるだけである。これは、とはいえ、ロッキング要素１５がこの動作を防止するので、起こり得ない。カバー９が取り除かれることが可能な唯一の方法は、それゆえ、ロッキング要素１５の取り除きによってである。
【００３４】
図１３は、不正操作がきかないコンテナの操作シーケンスをより詳細に示している。図１３において右から左に移ると、コンテナを開く人は、ロッキング要素１５に力を印加するためにかれらの指１６を使用することが可能である。ロッキング要素１５は、こわれやすい接続５１によって第２のハーフケーシング５に固定されているので、ロッキング要素１５および関連した製品吊り下げタグ１７は、コンテナ本体１の残りの部分から折り取られることが可能である。ロッキング要素１５の取り除きは、次に、協働する突出部４５から係合タング３７を解放するために、人がカバー９の指押し下げ部４７に指による圧力を印加し、そして、その後、前記アクセス開口を開くために、アクセス開口７の平面に平行な方向にスライドカバー９をスライドして、スライドカバー９の開放を可能とする。
【００３５】
製品タグ１７が、ショップディスプレイ内にコンテナを吊り下げるのに使用されている。したがって、ロッキング要素１５および関連サポートタグ１７の取り除きは、コンテナの不正操作、あるいは、開放の明確な視覚による兆候を与える。さらに、コンテナ本体は、ＡＢＳ、あるいは、関連した熱可塑性材料などの比較的剛性な熱可塑性物質を使用して生成されている。これは、第１および第２のハーフケーシング３、５とを相互接続するスナップ接続は、コンテナ本体１のいずれかの側面への対向する力の印加によって分離されることができないことを意味している。これは、あらゆるギャップがこの力の印加によって接合線２において形成されるのを防止する。この相互作用は、図１１および図１２に示されるように、第１のハーフケーシング周縁エッジ４と第２のハーフケーシング周縁エッジ５とを協働して、接合線２を通る皮下注射器を使用してコンテナの内容物にアクセスすることが起こり得ないことを確実にする。プラスチックは、さらに、皮下注射針が、コンテナ本体、あるいは、スライドカバー９のあらゆる壁を通って貫通することを防止するのに十分な密度である。
【００３６】
図１４乃至図３０は、本発明による不正操作がきかないコンテナの第２の好ましい実施の形態を示している。この第２の好ましい実施の形態の操作の原理は、図１乃至図１３に示されるような第１の好ましい実施の形態の操作と同一である。第２の実施の形態は、とはいえ、特に、医薬品カプセル、あるいは、錠剤をパッケージするのに使用されるタイプの錠剤シートのために構成されている。
【００３７】
最初に、図１４乃至図１６を参照すると、不正操作がきかないコンテナの第２の好ましい実施の形態は、図１乃至図１３に示される第１の好ましい実施の形態よりもよりフラットで、より薄いプロフィルを有している。とはいえ、図１７乃至図３０に示されるように、本発明による不正操作がきかないコンテナの第２の好ましい実施の形態の操作は、ロッキングタブ１５によって所定の位置に保持されるカバー９で同一の方法で作動する。図２５乃至図３０のシーケンスに示されるようにロッキングタブ１５の取り除きは、コンテナ本体１からのカバー９の分離を可能とし、それによって、錠剤シート５８として示される不正操作がきかないコンテナの内容物へのアクセスを可能とする。
【００３８】
図３１乃至図４９は、本発明による不正操作がきかないコンテナの第３の好ましい実施の形態を示している。この不正操作がきかないコンテナは、図１４乃至図３０に示される第２の実施の形態のものと形状が類似している。しかしながら、不正操作防止手段およびカバー９をコンテナ本体１に係合するカバー係合手段は、幾分異なっている。
【００３９】
図３１乃至図３３は、コンテナの第３の好ましい実施の形態が、第２の実施の形態と同じフラットなプロフィルを有していることを示している。しかし、前の実施の形態とは違って、カバー９のための係合手段が、手動によるアクチュエータメカニズム６０によって行われている。さらに、不正操作防止手段は、カバー９の一部を形成するロッキングタブ６２によって設けられている。
【００４０】
図３４乃至図４９は、手動によるアクチュエータメカニズム６０と不正操作防止手段のロッキングタブ６２との両方の操作をより詳細に示している。手動によるアクチュエータメカニズムは、カバー９に設けられる開口６６を通って延在するラッチ６４を含んでいる（図４８に最もよく示されている）。手動によるアクチュエータメカニズム６０は、さらに、一対の弾力性のあるサポート６８を含んでいる（図４７および図４８に最もよく示されている）。弾力性のあるサポート６８は、ラッチ６４に付勢を供給する。手動によるアクチュエータメカニズム６０は、さらに、カバー９の内側面から延在するそれぞれのタグ７１に設けられる開口７２を係合する多数の突出部７０を含んでいる。カバーが、コンテナ本体１のアクセス開口全体にわたって位置されるとき、突出部７０は、カバー９の開口７２に係合し、それによって、コンテナ本体１の所定の位置にカバーを保持する。弾力性のあるサポート６８は、カバー９の協働する開口７２と係合するのに突出部７０を押し進めるように作用する。
【００４１】
ロッキングタブ６２は、絶対必要な部分として、カバー９が形成され、そして位置され、そしてそれを通ってラッチ６４が延在する開口６６の１つの側面を形成する。ロッキングタブ６２は、薄い壁セクションのこわれやすい部分６３によって、カバー９の残りの部分に接続されている。
【００４２】
図４８および図４９に最もよく示されるように、カバー９は、カバー９の周縁に沿って延在する周縁リブ７７を含んでいる。この周縁リグ７７は、コンテナ１に設けられる協働する溝７５に係合し、その結果、カバーがコンテナ本体１のアクセス開口全体にわたって位置されるとき、カバー９の周縁リブ７７は、コンテナ本体の協働する溝７５に位置されている。この配置は、さらに、コンテナ本体１にカバー９位置し、同時に、さらに、コンテナ本体１とカバー９との間の接合線を通ってコンテナへのあらゆる針のアクセスを制限するのを助ける。
図４１乃至図４６は、不正操作防止手段の操作のシーケンスを示している。図４２に示されるように、ロッキングタブ６２は、カバー９の残りの部分から分離されることが可能である。これは、その結果、図４３に示されるように移動のためにラッチ６４をはずす。ラッチ６４の移動により、カバーの協働する開口７２から突出部７０を解放する。カバー９は、次に、図４４乃至図４６にその後示されるようにコンテナ本体の残りの部分から分離されることが可能である。
【００４３】
カバー９からのロッキングタブ６２の分離は、不正操作がきかないコンテナの内容物の不正操作の可能性の兆候を提供する。ロッキングタブ６２がカバー９から取り除かれた後、手動によるアクチュエータメカニズム６０は、さらに、コンテナ本体１にカバー９を固定して保持するように作用する。カバー９は、前に記述されるように、ラッチ６４の変位によって簡単に取り除かれることが可能である。
【００４４】
当業者には明らかであると思われるような修正および変更は、添付の請求の範囲に定義されるような本発明の範囲内に含まれるものである。
【図面の簡単な説明】
【図１】本発明による不正操作がきかないコンテナの第１の好ましい実施の形態の等角図である。
【図２】図１の不正操作がきかないコンテナの平面図である。
【図３】図２の線Ａ−Ａに沿った図１の不正操作がきかないコンテナの断面図である。
【図４】図１の不正操作がきかないコンテナの第１のハーフケーシングの等角図である。
【図５】図１の不正操作がきかないコンテナの第２のハーフケーシングの等角図である。
【図６】図１の不正操作がきかないコンテナのスライドカバーの等角図である。
【図７】図１の不正操作がきかないコンテナ本体へのスライドカバーの係合を示す詳細な断面図である。
【図８】図１の不正操作がきかないコンテナ本体へのスライドカバーの係合を示す詳細な断面図である。
【図９】図１の不正操作がきかないコンテナの不正操作防止手段の詳細な等角図である。
【図１０】図９の不正操作保護手段の対向する側の等角図である。
【図１１】図９および図１０の不正操作防止手段の詳細な断面図である。
【図１２】図４および図５に示されるような第１および第２のハーフケーシングのスナップ接続の詳細な図である。
【図１３】図１に示されるような不正操作がきかないコンテナの操作のシーケンスを示すそれぞれの等角図である。
【図１４】本発明による不正操作がきかないコンテナの第２の好ましい実施の形態の等角図である。
【図１５】図１４の不正操作がきかないコンテナの側面図である。
【図１６】図１４の不正操作がきかないコンテナの平面図である。
【図１７】断面線Ｂ−Ｂを示す図１４の不正操作がきかないコンテナの平面図である。
【図１８】図１４の不正操作がきかないコンテナのコンテナ本体へのスライドカバーの係合を示す詳細な断面図である。
【図１９】図１７の線Ｂ−Ｂに沿った断面図である。
【図２０】図１４の不正操作がきかない不正操作保護手段の詳細な断面図である。
【図２１】図１４の不正操作がきかないコンテナの部分分解等角図である。
【図２２】断面線Ｃ−ＣおよびＤ−Ｄを示す図１４の不正操作がきかないコンテナの平面図である。
【図２３】線Ｃ−Ｃに沿った図２２の不正操作がきかないコンテナの断面図である。
【図２４】線Ｄ−Ｄに沿った図２２の不正操作がきかないコンテナの断面図である。
【図２５】図１４に示されるような不正操作がきかない操作のシーケンスを示すそれぞれの等角図である。
【図２６】図１４に示されるような不正操作がきかない操作のシーケンスを示すそれぞれの等角図である。
【図２７】図１４に示されるような不正操作がきかない操作のシーケンスを示すそれぞれの等角図である。
【図２８】図１４に示されるような不正操作がきかない操作のシーケンスを示すそれぞれの等角図である。
【図２９】図１４に示されるような不正操作がきかない操作のシーケンスを示すそれぞれの等角図である。
【図３０】図１４に示されるような不正操作がきかない操作のシーケンスを示すそれぞれの等角図である。
【図３１】本発明による不正操作がきかないコンテナの第３の好ましい実施の形態の等角図である。
【図３２】図３１の不正操作がきかないコンテナの側面図である。
【図３３】図３１の不正操作がきかないコンテナの平面図である。
【図３４】断面線Ｅ−Ｅを示す図３１の不正操作がきかないコンテナの平面図である。
【図３５】線Ｅ−Ｅに沿った図３４の不正操作がきかないコンテナの断面図である。
【図３６】断面線Ｆ−Ｆ，Ｇ−ＧおよびＪ−Ｊを示す図３１の不正操作がきかないコンテナの平面図である。
【図３７】線Ｆ−Ｆに沿った図３６の不正操作がきかないコンテナの断面図である。
【図３８】線Ｇ−Ｇに沿った図３６の不正操作がきかないコンテナの断面図である。
【図３９】線Ｈ−Ｈに沿った図３６の不正操作がきかないコンテナの断面図である。
【図４０】線Ｉ−Ｉに沿った図３６の不正操作がきかないコンテナの断面図である。
【図４１】図３１の不正操作がきかないコンテナの不正操作防止手段の操作を示す詳細な断面図である。
【図４２】図３１の不正操作がきかないコンテナの不正操作防止手段の操作を示す詳細な断面図である。
【図４３】図３１の不正操作がきかないコンテナの不正操作防止手段の操作を示す詳細な断面図である。
【図４４】図３１の不正操作がきかないコンテナの不正操作防止手段の操作を示す詳細な断面図である。
【図４５】図３１の不正操作がきかないコンテナの不正操作防止手段の操作を示す詳細な断面図である。
【図４６】図３１の不正操作がきかないコンテナの不正操作防止手段の操作を示す詳細な断面図である。
【図４７】図３１の不正操作がきかない手動によるアクチュエータメカニズムを示す詳細な断面図である。
【図４８】図３１の不正操作がきかないコンテナの別の断面図である。
【図４９】その中に位置される錠剤シートを示す図３１の不正操作がきかないコンテナの等角断面図である。
【図１】
2004503446.tif 000003
【図２】
2004503446.tif 000004
【図３】
2004503446.tif 000005
【図４】
2004503446.tif 000006
【図５】
2004503446.tif 000007
【図６】
2004503446.tif 000008
【図７】
2004503446.tif 000009
【図８】
2004503446.tif 000010
【図９】
2004503446.tif 000011
【図１０】
2004503446.tif 000012
【図１１】
2004503446.tif 000013
【図１２】
2004503446.tif 000014
【図１３】
2004503446.tif 000015
【図１４】
2004503446.tif 000016
【図１５】
2004503446.tif 000017
【図１６】
2004503446.tif 000018
【図１７】
2004503446.tif 000019
【図１８】
2004503446.tif 000020
【図１９】
2004503446.tif 000021
【図２０】
2004503446.tif 000022
【図２１】
2004503446.tif 000023
【図２２】
2004503446.tif 000024
【図２３】
2004503446.tif 000025
【図２４】
2004503446.tif 000026
【図２５】
2004503446.tif 000027
【図２６】
2004503446.tif 000028
【図２７】
2004503446.tif 000029
【図２８】
2004503446.tif 000030
【図２９】
2004503446.tif 000031
【図３０】
2004503446.tif 000032
【図３１】
2004503446.tif 000033
【図３２】
2004503446.tif 000034
【図３３】
2004503446.tif 000035
【図３４】
2004503446.tif 000036
【図３５】
2004503446.tif 000037
【図３６】
2004503446.tif 000038
【図３７】
2004503446.tif 000039
【図３８】
2004503446.tif 000040
【図３９】
2004503446.tif 000041
【図４０】
2004503446.tif 000042
【図４１】
2004503446.tif 000043
【図４２】
2004503446.tif 000044
【図４３】
2004503446.tif 000045
【図４４】
2004503446.tif 000046
【図４５】
2004503446.tif 000047
【図４６】
2004503446.tif 000048
【図４７】
2004503446.tif 000049
【図４８】
2004503446.tif 000050
【図４９】
2004503446.tif 000051
【国際公開パンフレット】
2004503446.tif 000052
2004503446.tif 000053
2004503446.tif 000054
2004503446.tif 000055
2004503446.tif 000056
2004503446.tif 000057
2004503446.tif 000058
2004503446.tif 000059
2004503446.tif 000060
2004503446.tif 000061
2004503446.tif 000062
2004503446.tif 000063
2004503446.tif 000064
2004503446.tif 000065
2004503446.tif 000066
2004503446.tif 000067
2004503446.tif 000068
2004503446.tif 000069
2004503446.tif 000070
2004503446.tif 000071
2004503446.tif 000072
2004503446.tif 000073
2004503446.tif 000074
2004503446.tif 000075
2004503446.tif 000076
2004503446.tif 000077
2004503446.tif 000078
2004503446.tif 000079
2004503446.tif 000080
2004503446.tif 000081
2004503446.tif 000082
2004503446.tif 000083
2004503446.tif 000084
2004503446.tif 000085
2004503446.tif 000086
2004503446.tif 000087
2004503446.tif 000088
2004503446.tif 000089
2004503446.tif 000090
2004503446.tif 000091
2004503446.tif 000092
2004503446.tif 000093
【国際調査報告】
2004503446.tif 000094
2004503446.tif 000095
2004503446.tif 000096